(57)【特許請求の範囲】
【請求項１】
主プリント基板と、該主プリント基板に設けた固定側コネクタと、固定側コネクタに対して着脱する着脱コネクタを有すると共にメモリを搭載した副プリント基板と、前記主プリント基板、及び前記副プリント基板の底部を着座させるケースベースと、を備えたプリント基板ユニットを有した遊技機であって、
前記副プリント基板は、前記固定側コネクタに対して選択的に着脱可能であり、且つ前記固定側コネクタに対する前記着脱コネクタを着脱する方向である横方向の長さと、該横方向と直交する縦方向の長さを異にする第１の副プリント基板、又は第２の副プリント基板であり、
前記第１の副プリント基板は、前記横方向長が前記第２の副プリント基板の横方向長よりも長く、前記縦方向長が前記第２の副プリント基板の縦方向長よりも短く、且つその表面にメモリを立設しており、
前記第２の副プリント基板は、その表面にメモリを横臥して搭載しており、
前記ケースベースの表面には、第１の副プリント基板の縦方向への位置ずれを防止する共通支持突起が一対突設され、
前記一対の共通支持突起は、各内側面にて前記第１の副プリント基板の縦方向両端縁と接して縦方向への移動を規制するように縦方向間隔が設定されており、且つ前記第２の副プリント基板の横方向一端縁と接して横方向への移動を規制する横方向移動規制部を備えていることを特徴とする遊技機。
【請求項２】
前記主プリント基板、及び前記副プリント基板を間に挟んで前記ケースベース上に被さることにより前記主プリント基板、及び前記副プリント基板を収容するケース蓋体を備え、
前記ケース蓋体の天井面には、該ケース蓋体を前記ケースベースに被せた時に、前記第１の副プリント基板上の前記メモリの上部と接する規制部位と、前記第２の副プリント基板の表面と当接して該表面と直交する方向への移動を規制するリブと、を設けたことを特徴とする請求項１に記載の遊技機。
【請求項３】
前記規制部位には、前記第１の副プリント基板上のメモリの上部を受け容れる凹所が形成されていることを特徴とする請求項２に記載の遊技機。
【請求項４】
前記リブの先端には、前記第２の副プリント基板の縦方向への移動を規制する縦方向移動規制部が形成されていることを特徴とする請求項２に記載の遊技機。
【発明の詳細な説明】
【技術分野】
【０００１】
本発明は液晶表示装置を備えた遊技機に装備されるプリント基板ユニットの改良に関し、特に一つの主プリント基板に対して、縦横サイズ、及び高さサイズが異なる複数のメモリ搭載用副プリント基板を互換的に接続して使用することを可能としつつ、これらを共通して収容可能なケース内における各副プリント基板の位置ずれを確実に防止するようにした遊技機に関する。
【背景技術】
【０００２】
パチンコ遊技機、スロットマシン等の各種遊技機においては、遊技盤面に設けた液晶表示装置等の画像表示装置に遊技内容と関わりのある絵柄、文字、符号等の種々の画像を表示して、遊技状況を表示したり、演出効果を発揮させるようにしている。
図２１の分解斜視図に示すように、従来の画像表示装置（液晶表示装置）５０２は、遊技盤の背面に配置される液晶ベース枠５００の背面に前面を当接した状態で固定され、画像表示装置５０２の背面には画像表示カバー５０４が添設され、更に画像表示カバー５０４の背面には液晶制御用のプリント基板ユニット５０６、プリント基板ユニット５０６を包囲するケース蓋体５２５が順次組み付けられる（特許文献１）。
【０００３】
図２２及び図２３は、夫々異なった構成を有した副プリント基板を搭載した異なった液晶制御用プリント基板ユニットの構成を示す斜視図である。
６４ギガバイトのＣＧメモリを搭載した副プリント基板には、図２２、図２３に夫々示したように二種類がある。二種類の副プリント基板は、使用する機種、コスト、在庫の有無等、種々の事情に応じて、選択的され、使い分けられる。
図２２の拡大斜視図に示したタイプの副プリント基板５１５は、その表面に１６ギガバイトのＣＧメモリ５１７を４個、寝かせた状態で一列に配列した構成を備えている。
即ち、図２２に示した液晶制御用プリント基板ユニット５０６は、大面積の液晶制御用の主プリント基板５１０と、主プリント基板５１０の端縁に設けた固定側コネクタ５１１と、固定側コネクタ５１１に対して着脱する着脱コネクタ５１６を有すると共に１６ギガバイトのＣＧメモリ５１７を４個寝かせて搭載した小面積の副プリント基板５１５と、これら各プリント基板５１０、５１５の底面を着座させるケースベース５２０と、各プリント基板を間に挟んでケースベース５２０上に被さることにより各プリント基板を収容するケース蓋体５２５と、を備える。ケースベース５２０とケース蓋体５２５は、ケースＣを構成している。
【０００４】
図２３に示した液晶制御用プリント基板ユニット５０６を構成する副プリント基板５６０は、主プリント基板５１０の固定側コネクタ５１１と着脱する着脱コネクタ５６１を一端に有すると共に、その表面に３２ギガバイトのＣＧメモリ５６２を二個、基板面と直交するように平行に立設した構成を有している。
図２２に示した副プリント基板５１５の縦方向長Ｌ１は、図２３に示した副プリント基板５６０の縦方向長Ｌ２よりも長く、且つ副プリント基板５１５の横方向長Ｗ１は、副プリント基板５６０の横方向長Ｗ２よりも短い。副プリント基板５１５、５６０は何れも、ケースＣ内で横方向（Ｘ方向）、縦方向（Ｙ方向）及び基板面と直交する方向（Ｚ方向）への位置ずれ、ガタツキを防止されて、コネクタ同士の接続不良、脱落を防止される必要があることから、各方向への移動を規制するための構成がケース側に採用されている。
【０００５】
ところで、従来は、二種類の副プリント基板に共通使用できるケースが存在せず、夫々専用のケースを製作して使い分けていた。このため、金型の製作コストが増大したり、在庫としてのケースを管理する手数、コストが増大していた。
図２２は、副プリント基板５１５をケース内に位置決めする構造を示しており、ケースベース５２０の内底面には、主プリント基板５１０の固定側コネクタ５１１に副プリント基板５１５の着脱コネクタ５１６を接続した際に、副プリント基板の基板部分の他端縁を凹所内で支持する略Ｌ字状の位置決め突起５２１が一対設けられている。
一方、ケースベース５２０との間でプリント基板５１５を収容するためにケースベースに組み付けられるケース蓋体５２５の天井面には、ケース蓋体を閉止した時に副プリント基板５１５の表面適所を押さえ込んで、基板表面と直交する方向（Ｚ方向）への位置ずれ、ガタツキを防止する図示しないボス部が突設されている。
【０００６】
次に、図２３は副プリント基板５６０をケース内に位置決めする構造を示しており、ケースベース５２０の内底面右奥部には、主プリント基板５１０の固定側コネクタ５１１に副プリント基板５６０の着脱コネクタ５６１を接続した際に、副プリント基板の基板部分の他端縁を凹所内で支持する略Ｌ字状の位置決め突起５２２が一対設けられている。
一方、ケースベース５２０との間で副プリント基板５６０を収容するためにケース蓋体５２５をケースベースに組み付けて閉止した時に副プリント基板５６０上に立設された二本のＣＧメモリ５６２の先端縁をケース蓋体の天井面により押さえ付けるように寸法設定することにより、副プリント基板５６０のＺ方向への位置ずれ、ガタツキを防止している。
このように従来の液晶制御用プリント基板ユニットにあっては、基板部分の形状、サイズと、搭載されるＣＧメモリの形状、搭載方法が異なっている２種類の副プリント基板を選択的に使用する場合に、各副プリント基板に適した支持構造を備えた二種類の専用ケースを準備して使い分ける必要があった。つまり、何れの副プリント基板を使用するのかによって、ケースを使い分ける必要があった。
【０００７】
また、図２２の液晶制御用プリント基板ユニット５０６にあっては、副プリント基板５１５の縦方向へのがたつきを規制する手段がなく、コネクタの接続不良、抜け落ちが発生することがあった。このため、コストアップや組立手数が増大するという問題があった。
また、図２３の液晶制御用プリント基板ユニット５０６にあっても、副プリント基板５６０の縦方向へのがたつきを規制する手段がなく、コネクタの接続不良、抜け落ちが発生することがあった。このため、コストアップや組立手数が増大するという問題があった。
【先行技術文献】
【特許文献】
【０００８】
【特許文献１】特願２０１２−１０５１６８
【発明の概要】
【発明が解決しようとする課題】
【０００９】
本発明は上記に鑑みてなされたものであり、基板部分の形状、サイズと、搭載されるメモリの形状、搭載方法が異なっているプリント基板を選択的に使用する場合であっても、副プリント基板毎に専用ケースを準備しておく必要をなくし、コスト、及び組立手数の低減を図ることを目的としている。
【課題を解決するための手段】
【００１０】
上記目的を達成するため、請求項１の発明は、主プリント基板と、該主プリント基板に設けた固定側コネクタと、固定側コネクタに対して着脱する着脱コネクタを有すると共にメモリを搭載した副プリント基板と、前記主プリント基板、及び前記副プリント基板の底部を着座させるケースベースと、を備えたプリント基板ユニットを有した遊技機であって、前記副プリント基板は、前記固定側コネクタに対して選択的に着脱可能であり、且つ前記固定側コネクタに対する前記着脱コネクタを着脱する方向である横方向の長さと、該横方向と直交する縦方向の長さを異にする第１の副プリント基板、又は第２の副プリント基板であり、前記第１の副プリント基板は、前記横方向長が前記第２の副プリント基板の横方向長よりも長く、前記縦方向長が前記第２の副プリント基板の縦方向長よりも短く、且つその表面にメモリを立設しており、前記第２の副プリント基板は、その表面にメモリを横臥して搭載しており、前記ケースベースの表面には、第１の副プリント基板の縦方向への位置ずれを防止する共通支持突起が一対突設され、前記一対の共通支持突起は、各内側面にて前記第１の副プリント基板の縦方向両端縁と接して縦方向への移動を規制するように縦方向間隔が設定されており、且つ前記第２の副プリント基板の横方向一端縁と接して横方向への移動を規制する横方向移動規制部を備えていることを特徴とする。
【００１１】
請求項２の発明は、前記主プリント基板、及び前記副プリント基板を間に挟んで前記ケースベース上に被さることにより前記主プリント基板、及び前記副プリント基板を収容するケース蓋体を備え、前記ケース蓋体の天井面には、該ケース蓋体を前記ケースベースに被せた時に、前記第１の副プリント基板上の前記メモリの上部と接する規制部位と、前記第２の副プリント基板の表面と当接して該表面と直交する方向への移動を規制するリブと、を設けたことを特徴とする。
請求項３の発明は、前記規制部位には、前記第１の副プリント基板上のメモリの上部を受け容れる凹所が形成されていることを特徴とする。
請求項４の発明は、前記リブの先端には、前記第２の副プリント基板の縦方向への移動を規制する縦方向移動規制部が形成されていることを特徴とする。
【発明の効果】
【００１２】
本発明によれば、メモリを搭載した複数種類の副プリント基板のがたつきを効果的に防止しつつ、収納することができるケースを備えた液晶制御用プリント基板ユニットを有した遊技機を提供することができる。
【図面の簡単な説明】
【００１３】
【図１】本発明の実施形態に係る遊技機の一例としてのパチンコ遊技機の構成例を示した全体正面図である。
【図２】外枠に対して遊技盤ユニット、及びガラス枠を開閉自在に組み付けた状態を示す斜視図である。
【図３】ベース枠体の正面側斜視図である。
【図４】ベース枠体に対して画像表示ユニットを組み付ける手順を示す背面側斜視図である。
【図５】ベース枠体と、分解した画像表示ユニットとを示す背面側斜視図である。
【図６】画像表示ユニットからケース蓋体を外した状態を示す背面側斜視図である。
【図７】ケース蓋体を除去した画像表示ユニットの背面側斜視図である。
【図８】第１の副プリント基板を鎖線で示した画像表示ユニットの背面図である。
【図９】第１の副プリント基板を鎖線で示した画像表示ユニットの背面側斜視図である。
【図１０】第１の副プリント基板を除去した状態の画像表示ユニットの背面側斜視図である。
【図１１】第１の副プリント基板、及びケース蓋体を装着した状態の斜視断面図である。
【図１２】第２の副プリント基板を装着した状態の画像表示ユニットの背面側斜視図である。
【図１３】第２の副プリント基板を破線で示した画像表示ユニットの背面側斜視図である。
【図１４】第２の副プリント基板を破線で示した画像表示ユニットの背面図である。
【図１５】第２の副プリント基板を除去した状態を示す斜視図である。
【図１６】第２の副プリント基板、及びケース蓋体を装着した状態の斜視断面図である。
【図１７】ケース蓋体の内面構成を示す斜視図である。
【図１８】（ａ）及び（ｂ）はケース蓋体の内面により第１の副プリント基板、及び第２の副プリント基板を支持した状態を説明するための模式的な斜視図である。
【図１９】（ａ）及び（ｂ）はケース蓋体の内面により第１の副プリント基板、及び第２の副プリント基板を支持した状態を説明するための模式的な図であり、（ｃ）は（ｂ）中のＡ−Ａ拡大断面図である。
【図２０】（ａ）及び（ｂ）はケース蓋体のリブにより第２のプリント基板を抑えている状態を示す説明図である。
【図２１】従来の画像表示装置（液晶表示装置）の分解斜視図である。
【図２２】副プリント基板を搭載した異なった液晶制御用プリント基板ユニットの構成を示す斜視図である。
【図２３】図２２とは異なった構成を有した副プリント基板を搭載した異なった液晶制御用プリント基板ユニットの構成を示す斜視図である。
【発明を実施するための形態】
【００１４】
以下、本発明を図面に示した実施の形態により詳細に説明する。
図１は本発明の実施形態に係る遊技機の一例としてのパチンコ遊技機の構成例を示した全体正面図である。
図１において、遊技機１は、遊技店の島設備に取り付けられる外枠３００と、外枠３００により一方の縦辺を回動可能に支持されたガラス枠３１０と、を備えている。外枠３００には遊技球が流下する遊技領域３が形成された遊技盤２が設けられている。ガラス枠３１０は、遊技盤２の前方（遊技者側）において遊技領域３を視認可能に覆うガラス板（図示しない）を支持している。
【００１５】
また、ガラス枠３１０には、回動操作されることにより遊技領域３に向けて遊技球を発射させる操作ハンドル３１１と、音声出力装置（スピーカ）３１２と、複数のランプを有する上下の演出用照明装置３１３ａ、３１３ｂと、押圧操作により演出態様を変更させるための演出ボタン３１４と、左右の演出用可動照明装置３２０Ｌ、３２０Ｒが設けられている。
ガラス枠３１０の下側には、受皿ユニット３１５が設けられている。受皿ユニット３１５には、複数の遊技球を貯留する球皿部が設けられており、この球皿部は、操作ハンドル３１１の方向側に遊技球が流下するように下りの傾斜を有している。そして、遊技者が操作ハンドル３１１を回動させると、遊技球が遊技領域３に発射されることとなる。
上記のようにして発射された遊技球がレール５ａ、５ｂ間を上昇して玉戻り防止片５ｃを超えると、遊技領域３に到達し、その後遊技領域３内を落下する。このとき、遊技領域３に設けられた複数の釘や風車によって、遊技球は予測不能に落下することとなる。
【００１６】
次に、遊技盤２の遊技領域３の構成について説明する。
遊技領域３には、複数の一般入賞口１８が設けられている。これら各一般入賞口１８に遊技球が入賞すると、所定の賞球（例えば１０個の遊技球）が払い出される。
また、遊技領域３の中央下側の領域には、遊技球が入球可能な始動領域を構成する第１始動口１３および第２始動口１４が設けられている。
この第２始動口１４は、開閉扉１４ｂを有しており、開閉扉１４ｂが閉状態に維持される第１の態様と、開閉扉１４ｂが開状態となる第２の態様とに可動制御される。従って、第２始動口１４は、第１の態様にあるときには遊技球の入賞機会がなく、第２の態様にあるときには遊技球の入賞機会が増すこととなる。
【００１７】
ここで、第１始動口１３または第２始動口１４に遊技球が入球すると、特別図柄判定用乱数値等を取得し、大当たり遊技を実行する権利獲得の抽選（以下、「大当たり抽選」という）が行われる。また、第１始動口１３または第２始動口１４に遊技球が入球した場合には、所定の賞球（例えば３個の遊技球）が払い出される。
さらに、遊技領域３の右側の領域には、遊技球が通過可能な普通図柄用のゲート１５と、遊技球が入球可能な第１大入賞口１６及び第２大入賞口１７とが設けられている。
このため、操作ハンドル３１１を大きく回動させ、強い力で打ち出された遊技球でないと、ゲート１５と第１大入賞口１６及び第２大入賞口１７とには遊技球が、通過または入賞しないように構成されている。
ゲート１５において遊技球の通過を検出すると、普通図柄判定用乱数値を取得し、「普通図柄の当たり抽選」が行われる。
【００１８】
第１大入賞口１６は、通常は第１大入賞口開閉扉１６ｂによって閉状態に維持されており、遊技球の入球を不可能としている。これに対して、所定の特別遊技が開始されると、第１大入賞口開閉扉１６ｂが開放されるとともに、この第１大入賞口開閉扉１６ｂが遊技球を第１大入賞口１６内に導く受け皿として機能し、遊技球が第１大入賞口１６に入球可能となる。第１大入賞口１６に遊技球が入球すると予め設定された賞球（例えば１５個の遊技球）が払い出される。
第２大入賞口１７は、通常は第２大入賞口可動片１７ｂによって閉状態に維持されており、遊技球の入球を不可能としている。これに対して、所定の特別遊技が開始されると、第２大入賞口可動片１７ｂが開放されるとともに、この第２大入賞口可動片１７ｂが遊技球を第２大入賞口１７内に導く誘導路として機能し、遊技球が第２大入賞口１７に入球可能となる。第２大入賞口１７に遊技球が入球した場合も予め設定された賞球（例えば１５個の遊技球）が払い出される。
さらには、遊技領域３の最下部の領域には、一般入賞口１８、第１始動口１３、第２始動口１４、第１大入賞口１６および第２大入賞口１７のいずれにも入球しなかった遊技球を排出するためのアウト口１９が設けられている。
【００１９】
また、遊技領域３の中央には開口部３Ａが形成されており、開口部３Ａの周縁に沿って遊技球の流下に影響を与える飾り部材６が設けられている。この飾り部材６の略中央部分（開放部）であって遊技盤の背面（後面）側には、液晶表示装置等からなる画像表示装置７が設けられている。この画像表示装置７の周縁には各種演出用可動装置Ａ〜Ｃが設けられている。
この画像表示装置７は、遊技が行われていない待機中に画像を表示したり、遊技の進行に応じた画像を表示したりする。なかでも、後述する大当たり抽選の結果を報知するための３個の演出図柄８が表示され、特定の演出図柄８の組合せ（例えば、７７７等）が停止表示されることにより、大当たり抽選結果として大当たりが報知される。
具体的には、第１始動口１３または第２始動口１４に遊技球が入球したときには、３個の演出図柄８をそれぞれスクロール表示するとともに、所定時間経過後に当該スクロールを停止させて、演出図柄８を停止表示するものである。また、この演出図柄８の変動表示中に、さまざまな画像やキャラクター等を表示することによって、大当たりに当選するかもしれないという高い期待感を遊技者に与えるようにもしている。
各演出用可動装置Ａ〜Ｃは、その動作態様によって遊技者に期待感を与えるものである。各演出用可動装置は、例えば画像表示装置の表示画面の周縁に退避した位置から中央寄りに突出した位置に移動したり、変形する等の各種動作を行う。これら演出用可動装置の動作態様によって、遊技者にさまざまな期待感を与えるようにしている。
さらに、上記の各種の演出装置に加えて、音声出力装置３１２は、ＢＧＭ（バックグランドミュージック）、ＳＥ（サウンドエフェクト）等を出力し、サウンドによる演出を行い、演出用照明装置３１３ａ、３１３ｂは、各ランプの光の照射方向や発光色を変更して、照明による演出を行うようにしている。
【００２０】
遊技盤２の左下方には、各種図柄を表示するための図柄表示装置９が設けられている。
受皿ユニット３１５の上面には、一般的にチャンスボタンと呼ばれる演出ボタン３１４が配置されている。演出ボタン３１４の操作は、例えば遊技中における特定のリーチ演出に際し、演出ボタン３１４の操作を促すガイダンスが画像表示装置７に表示されている間有効となる。
【００２１】
次に、図２は外枠に対して遊技盤ユニット、及びガラス枠を開閉自在に組み付けた状態を示す斜視図であり、図３はベース枠体の正面側斜視図であり、図４はベース枠体に対して画像表示ユニットを組み付ける手順を示す背面側斜視図であり、図５はベース枠体と、分解した画像表示ユニットとを示す背面側斜視図であり、図６は画像表示ユニットからケース蓋体を外した状態を示す背面側斜視図であり、図７はケース蓋体を除去した画像表示ユニットの背面側斜視図であり、図８は第１の副プリント基板を鎖線で示した画像表示ユニットの背面図であり、図９は第１の副プリント基板を鎖線で示した画像表示ユニットの背面側斜視図であり、図１０は第１の副プリント基板を除去した状態の画像表示ユニットの背面側斜視図であり、図１１は第１の副プリント基板、及びケース蓋体を装着した状態の斜視断面図である。
【００２２】
また、図１２は、第２の副プリント基板を装着した状態の画像表示ユニットの背面側斜視図であり、図１３は第２の副プリント基板を破線で示した画像表示ユニットの背面側斜視図であり、図１４は第２の副プリント基板を破線で示した画像表示ユニットの背面図であり、図１５は第２の副プリント基板を除去した状態を示す斜視図であり、図１６は第２の副プリント基板、及びケース蓋体を装着した状態の斜視断面図である。
また、図１７はケース蓋体の内面構成を示す斜視図であり、図１８（ａ）及び（ｂ）はケース蓋体の内面により第１の副プリント基板、及び第２の副プリント基板を支持した状態を説明するための模式的な斜視図であり、図１９（ａ）及び（ｂ）はケース蓋体の内面により第１の副プリント基板、及び第２の副プリント基板を支持した状態を説明するための模式的な図であり、図２０（ａ）及び（ｂ）はケース蓋体のリブにより第２のプリント基板を抑えている状態を示す説明図である。  
【００２３】
図２に示すように外枠３００には、遊技盤ユニットＵ、及びガラス枠３１０が開閉自在に組み付けられている。
遊技盤ユニットＵは、遊技盤２の背面に、画像表示ユニット６０、及びベース枠体３０等を組み付けた構成を有している。
図２、図３等に示すように、遊技盤２の背面（後面）には、前後方向に貫通する開口部３０ａを有したベース枠体（液晶ベース枠）３０が組み付けられて、ベース枠体の背面側（後面側）には開口部３０ａを塞ぐように画像表示ユニット（画像表示装置６１、及び画像表示カバー６５）６０が組み付けられる。画像表示カバー（液晶カバー）６５の背面（後面）には、ケース蓋体７０が組み付けられ、ケース蓋体７０よりも下側の画像表示カバー６５の背面下部には主制御基板を収容した主基板ケース９０が取り付けられる。
【００２４】
本実施形態では、ベース枠体３０の背面側に設けた画像表示ユニット収納用のギャップ内に横方向から画像表示ユニット６０をスライドさせることにより装着するように構成されているが、これは一例に過ぎず、どのような構成にしろ、ベース枠体３０の背面に装着される画像表示ユニットには本発明を適用することができる。
ベース枠体３０の背面に固定された画像表示ユニット（液晶ユニット）６０の背面側には、背面側（後面側）から見たときに画像表示ユニット背面の少なくとも一部と重なるように、演出制御基板５１、５２が離間して配置されている。つまり、画像表示ユニットと各演出制御基板５１、５２は共にベース枠体３０に配置されているが、画像表示ユニットは各演出制御基板よりも前方に位置しており、背面から見たときに画像表示ユニットと各演出制御基板とはオーバーラップした位置関係にある。また、画像表示ユニット６０は、演出制御基板の前方に設けた画像表示ユニット収納用のギャップ（収納空間）内に対して、ベース枠体の側方（右横方向）からスライド自在に装着できるように構成されている。つまり、画像表示ユニット６０は、ベース枠体に対してその前後方向以外の方向から収納空間内に着脱自在に構成されている。
画像表示装置６１の背面に添設された画像表示カバー６５の背面には、液晶制御用のプリント基板ユニット（プリント基板ユニット）１００と、この液晶制御用のプリント基板ユニットに被さって包囲するケース蓋体７０が順次組み付けられる。
【００２５】
図６乃至図２０に示すように、液晶制御用プリント基板ユニット１００は、大面積の液晶制御用の主プリント基板１０１と、主プリント基板１０１の一端縁に設けた固定側コネクタ１０５と、固定側コネクタ１０５に対して着脱する着脱コネクタ１１５、１２５を有した第１、及び第２の副プリント基板１１０、１２０と、主プリント基板１０１、及び第１及び第２の副プリント基板１１０、１２０の底面を着座させるケースベース８０と、各プリント基板を間に挟んでケースベース８０上に被さることにより各プリント基板を収容するケース蓋体７０と、を備える。ケース蓋体７０は、ケースベース８０に被せた状態でカシメ手段などの封印手段によりロックされる。ケースベース８０とケース蓋体７０は、ケースＣを構成している。
【００２６】
第１、及び第２の副プリント基板１１０、１２０は、その何れか一方を選択的（互換的）に固定側コネクタ１０５に対して接続することにより使用される。
第１の副プリント基板１１０は、一端に着脱コネクタ１１５を有した基板本体１１１と、基板本体の表面に搭載された二個のＣＧメモリ１１７と、を有している。本例では、ＣＧメモリ１１７は、３２ギガバイトであり、二個の３２ギガバイトＣＧメモリ１１７を基板本体１１１面と直交した状態で並行に立設させた構成を備えている。
【００２７】
図１２乃至図１６に示した第２の副プリント基板１２０は、一端に着脱コネクタ１２５を有した基板本体１２１と、基板本体の表面に搭載されたＣＧメモリ１２７と、を有している。本例では、ＣＧメモリ１２７は１６ギガバイトであり、１６ギガバイトのＣＧメモリ１２７を四個、基板本体面上に寝かせた状態で一列に配置した構成を有している。
ケースベース８０は画像表示カバー６５の背面に添設されており、その表面であって各副プリント基板１１０、１２０を搭載する領域には、各副プリント基板の裏面を支持するためのボス部８１の他に、各副プリント基板のＸ方向（横方向）、及び縦方向（Ｙ方向）への位置ずれを規制する第１の支持突起８３、及び第２の支持突起（共通支持突起）８５が設けられている。
ボス部８１は、その上面にて副プリント基板の裏面を支持するために上面がフラットになっており、各副プリント基板を支持し易いように支持突起８３、８５と干渉しない位置に突設されている。
【００２８】
第１の支持突起８３は、第１の副プリント基板１１０の横方向一端縁を支持して横方向外側への移動を規制するように略Ｌ字状に構成されている。このＬ字状の凹所（横方向移動規制部）８３ａ内に第１の副プリント基板の一端縁を支持する構成である。図示した例では第１の支持突起８３は二個設けられているが、３個以上設けても良い。
各第２の支持突起（共通支持突起）８５は、その内側面８５ａにて第１の副プリント基板１１０の縦方向両端縁を夫々支持して縦方向への移動を規制するように縦方向間隔Ｙ１（図１０）が設定されている。第２の支持突起８５については一対を超えた数量を設ける必要はない。
【００２９】
各副プリント基板１１０、１２０は、何れか一方だけを固定側コネクタ１０５に対して選択的に着脱可能であり、且つ固定側コネクタに対して各着脱コネクタ１１５、１２５を着脱する方向である横方向（Ｘ軸方向）の長さＷ１、Ｗ２と、該横方向と直交する縦方向（Ｙ方向）の長さＬ１、Ｌ２を異にしている（図８、図１４）。
第１の副プリント基板１１０は、横方向長Ｗ１が第２の副プリント基板１２０の横方向長Ｗ２よりも長く、縦方向長Ｌ１が第２の副プリント基板の縦方向長Ｌ２よりも短く、且つその表面に二枚の３２ギガメモリ１１７を第１の副プリント基板面と直交して（Ｚ方向に）立設している。
第２の副プリント基板１２０は、その表面に４枚の１６ギガメモリ１２７を横臥して縦一列に搭載している。つまり、各副プリント基板は、縦横サイズが異なるのみならず、表面に搭載したＣＧメモリの基板直交方向への突出長が異なっている。
【００３０】
ケースベース８０の表面には、図６、図８等のように着脱コネクタ１１５を固定側コネクタ１０５に対して接続した状態において、第１の副プリント基板１１０の横方向端縁（着脱コネクタと対向する端縁）を支持してその横方向位置ずれを規制する第１の支持突起８３が突設されている。第１の支持突起８３は外形がＬ字状をなしており、その凹所（横方向移動規制部）８３ａ内に第１の副プリント基板の横方向端縁を支持する。
【００３１】
また、ケースベース８０の他の部位（第１の支持突起よりも主プリント基板寄り位置）には、第１の副プリント基板１１０の縦方向への位置ずれを防止し、且つ第２の副プリント基板１２０の横方向への位置ずれを防止する第２の支持突起８５が一対突設されている。
即ち、一対の第２の支持突起８５は、図８等に示すように着脱コネクタ１１５を固定側コネクタ１０５に接続した状態において、各第２の支持突起の内側面８５ａにて、第１の副プリント基板１１０の縦方向（Ｙ方向）両端縁と密着、近接することができるように形状、配置を選定されている。つまり、第２の支持突起８５の横方向一端縁は第１の支持突起８３により支持されることによって横方向への移動（がたつき）を規制される一方で、縦方向両端縁を２つの第２の支持突起８５によって支持されることにより縦方向への移動（がたつき）を規制される。
【００３２】
また、図１２〜図１４等に示すように第２の副プリント基板１２０の着脱コネクタ１２５を固定側コネクタ１０５に接続した状態では、Ｌ字状の２つの第２の支持突起８５は第２の副プリント基板の基板本体１２１の横方向一端縁（着脱コネクタと対向する端縁）をその凹所内に支持することにより横方向への移動を規制することができる。
即ち、第２の支持突起（共通支持突起）８５は、その内側面８５ａにて第１の副プリント基板１１０の縦方向両端縁を支持することができるように縦方向間隔Ｙ１を設定されていると共に、第２の副プリント基板１２０の横方向一端縁を凹所内で支持することができるように横方向（Ｘ方向）位置を設定されている。本例では、固定側コネクタ１０５の端縁から第２の支持突起８５の凹所までの距離をＸ１とし、距離Ｘ１が第２の副プリント基板１２０の横方向寸法Ｗ２とほぼ合致するように設定している（図１０）。なお、２つの第２の支持突起８５間の縦方向間隔Ｙ１は、第２の副プリント基板の縦方向長Ｌ２よりも狭く設定されている（図１４）。
【００３３】
図１８（ａ）はケース蓋体が第１の副プリント基板を支持している状態を示した斜視図であり、図１９（ａ）は同じ状態を示す正面図である。
第１の副プリント基板上のＣＧメモリ１１７は、基板本体１１１から後方（Ｚ方向）に向けて突設されているため、ケースベース８０上に装着されるケース蓋体７０の天井面（規制部位７１）がＣＧメモリ１１７の頂辺と接触（嵌合支持）してＺ方向へのガタツキを規制するように（図１１の断面図参照）、天井面の高さ位置を選定する。規制部位７１を凹所（細長い溝）として、各ＣＧメモリ１１７の頂辺を受け容れることにより、ＣＧメモリを介して第１の副プリント基板の横方向へのずれをも規制することができる。
【００３４】
次に、図１８（ｂ）はケース蓋体が第２の副プリント基板を支持している状態を示した斜視図であり、図１９（ｂ）は同じ状態を示す正面図である。
一方、ケース蓋体７０の天井面には、ケース蓋体をケースベース８０に被せた時に、第２の副プリント基板１２０の基板本体１２１表面と当接してＺ方向へのがたつきを規制する２つのリブ７５を設けている。本例では、２つのリブ７５は、第２の副プリント基板１２０の２つの角部表面に当接して表面と直交する方向への移動（ガタツキ）を規制している。
なお、図１９（ｃ）のＡ−Ａ断面図に示すように各リブ７５の先端部をＬ字状、その他の任意の形状に構成することにより、基板本体１２１の上面のみならず、端面をも抑えることが可能となり、第２の副プリント基板１２０の縦方向へのがたつきを規制することも可能となる。リブ７５の先端のＬ字上部の凹所７５ａは、縦方向移動規制部を構成している。
或いは、リブ７５とは別の縦方向へのがたつき防止専用のリブを設けて、基板本体１２１の端面のみを抑えるようにしてもよい。
【００３５】
以上のように本発明によれば、基板部分の形状、サイズと、搭載されるＣＧメモリの形状、搭載方法が異なっている２種類の副プリント基板を選択的に使用する場合であっても、各副プリント基板に適した支持構造を備えた共通のケースにより対応することにより、副プリント基板毎に専用ケースを二種類準備しておく必要をなくし、コスト、及び組立手数の低減を図ることができる。
また、ケース内において、２種類の副プリント基板の横方向、縦方向、及び基板面と直交する方向への位置ずれ、ガタツキを規制して接続不良が発生することを確実に防止できる。
つまり、ケースベースとケース蓋体は、何れの副プリント基板に対しても共通使用することができる。
【００３６】
上記実施形態では、プリント基板ユニット１００として液晶制御用プリント基板ユニットを挙げたが、これは一例に過ぎず、本発明は主プリント基板に対して副プリント基板を着脱自在に接続するプリント基板ユニット一般に適用することができる。従って、副プリント基板に搭載する電子部品としてはＣＧメモリ以外のメモリ、その他の電子部品一般を想定することができる。
本発明は、パチンコ遊技機のみならず、スロットマシン、その他、画像表示装置を有した遊技機、ゲーム機一般に適用することができる。
【符号の説明】
【００３７】
１…遊技機、２…遊技盤、３…遊技領域、３A…開口部、７…画像表示装置、８…演出図柄、１３…始動口、１４…始動口、１４ｂ…開閉扉、１５…ゲート、１６…大入賞口、１６ｂ…大入賞口開閉扉、１７…大入賞口、１７ｂ…大入賞口可動片、１８…一般入賞口、１９…アウト口、３０…ベース枠体、３０ａ…開口部、５１、５２…演出制御基板、６０…画像表示ユニット、６１…画像表示装置、６５…画像表示カバー、７０…ケース蓋体、７１…規制部位、７５…リブ、７５ａ…縦方向移動規制部、８０…ケースベース、８１…ボス部、８２…支持突起、８３…第１の支持突起、８５…第２の支持突起、８５ａ…内側面、９０…主基板ケース、１００…液晶制御用プリント基板ユニット（プリント基板ユニット）、１０１…主プリント基板、１０５…固定側コネクタ、１１０…第１の副プリント基板、１１１…基板本体、１１５、１２５…着脱コネクタ、１１７…ＣＧメモリ（メモリ＝電子部品）、１２０…第２の副プリント基板、１２１…基板本体、１２５…着脱コネクタ、１２７…ＣＧメモリ（メモリ＝電子部品）、１２７…ギガメモリ、３００…外枠、３１０…ガラス枠、３１１…操作ハンドル、３１２…音声出力装置、３１３ａ…演出用照明装置、３１４…演出ボタン、３１５…受皿ユニット、３２０Ｌ…演出用可動照明装置
【図１】
0005628877.tif 000002
【図２】
0005628877.tif 000003
【図３】
0005628877.tif 000004
【図４】
0005628877.tif 000005
【図５】
0005628877.tif 000006
【図６】
0005628877.tif 000007
【図７】
0005628877.tif 000008
【図８】
0005628877.tif 000009
【図９】
0005628877.tif 000010
【図１０】
0005628877.tif 000011
【図１１】
0005628877.tif 000012
【図１２】
0005628877.tif 000013
【図１３】
0005628877.tif 000014
【図１４】
0005628877.tif 000015
【図１５】
0005628877.tif 000016
【図１６】
0005628877.tif 000017
【図１７】
0005628877.tif 000018
【図１８】
0005628877.tif 000019
【図１９】
0005628877.tif 000020
【図２０】
0005628877.tif 000021
【図２１】
0005628877.tif 000022
【図２２】
0005628877.tif 000023
【図２３】
0005628877.tif 000024